【手続補正書】
【提出日】平成17年12月15日(2005.12.15)
【手続補正１】
【補正対象書類名】明細書
【補正対象項目名】特許請求の範囲
【補正方法】変更
【補正の内容】
【特許請求の範囲】
【請求項１】
光源手段と、該光源手段から出射した光束を他の状態の光束に変換する第１光学系と、該第１光学系からの光束を主走査方向に長手の光束に変換する第２光学系と、該第２光学系からの光束を偏向走査する複数の偏向面を備えたポリゴンミラーと、該ポリゴンミラーで偏向した光束を被走査面上に結像させる走査光学系と、を具備し、
副走査断面内において該ポリゴンミラーの偏向面と該被走査面との間が共役関係を満たす走査光学装置において、
該第２光学系から出射した光束は副走査断面内において該ポリゴンミラーの偏向面に対し角度を有して入射し、且つ、該第２光学系から出射した光束は主走査断面内において該走査光学系の光軸に対し角度を有して該ポリゴンミラーの偏向面に入射しており、
該被走査面上における最大像高をＬ、副走査断面内において該ポリゴンミラーの偏向面と該被走査面との間が完全共役関係を満たす像高のうち主走査断面内において該走査光学系の光軸に対し角度を有して該ポリゴンミラーの偏向面に入射してくる光束側の最大像高に最も近い像高をＹm∞としたとき、
０．７Ｌ＜Ｙm∞≦１．０Ｌ
を満たすように該走査光学系の副走査方向のパワーを設定したことを特徴とする走査光学装置。
但し、主走査断面内において該走査光学系の光軸に対し角度を有して該ポリゴンミラーの偏向面に入射してくる光束側の像高の符号を正とする。
【請求項２】
前記ポリゴンミラーの偏向面の面倒れによる前記偏向面上の照射位置変動量の絶対値と、該ポリゴンミラーの偏向面の面偏心による前記偏向面上の照射位置変動量の絶対値との総和が、前記被走査面上の軸上像高での値と、前記主走査断面内において該走査光学系の光軸に対し角度を有して該ポリゴンミラーの偏向面に入射してくる光束側の最大像高での値と等しいことを特徴とする請求項１記載の走査光学装置。
【請求項３】
前記走査光学系の副走査方向の結像倍率βsは、
｜βs｜＜２．５
であることを特徴とする請求項１又は２記載の走査光学装置。
【請求項４】
前記光源手段は独立に変調可能な複数の発光点を有するマルチビーム光源であることを特徴とする請求項１〜３のいずれか一項記載の走査光学装置。
【請求項５】
複数の光源手段と、該複数の光源手段から出射した複数の光束を他の状態の光束に変換する１つ以上の第１光学系と、該１つ以上の第１光学系からの複数の光束を主走査方向に長手の光束に変換する１つ以上の第２光学系と、該１つ以上の第２光学系からの複数の光束を偏向走査する複数の偏向面を備えた１つ以上のポリゴンミラーと、
該１つ以上のポリゴンミラーの偏向面で偏向した複数の光束を異なる被走査面上に結像させる１つ以上の走査光学系と、を具備し、
副走査断面内において該ポリゴンミラーの偏向面と該複数の被走査面との間が共役関係を満たす走査光学装置において、
該第２光学系から出射した光束は副走査断面内において該ポリゴンミラーの偏向面に対し角度を有して入射し、且つ、該第２光学系から出射した光束は主走査断面内において該走査光学系の光軸に対し角度を有して該ポリゴンミラーの偏向面に入射しており
該複数の被走査面上における最大像高をＬ、副走査断面内において該ポリゴンミラーの偏向面と該複数の被走査面との間が完全共役関係を満たす像高のうち主走査断面内において該走査光学系の光軸に対し角度を有して該ポリゴンミラーの偏向面に入射してくる光束側の最大像高に最も近い像高をＹm∞としたとき、
０．７Ｌ＜Ｙm∞≦１．０Ｌ
を満たすように該１つ以上の走査光学系の副走査方向のパワーを設定したことを特徴とする走査光学装置。
但し、主走査断面内において該走査光学系の光軸に対し角度を有して該ポリゴンミラーの偏向面に入射してくる光束側の像高の符号を正とする。
【請求項６】
前記ポリゴンミラーの偏向面の面倒れによる前記偏向面上の照射位置変動量の絶対値と、該ポリゴンミラーの偏向面の面偏心による前記偏向面上の照射位置変動量の絶対値との総和が、前記複数の被走査面の各々の被走査面上の軸上像高での値と、前記主走査断面内において該走査光学系の光軸に対し角度を有して該ポリゴンミラーの偏向面に入射してくる光束側の前記複数の被走査面の各々の被走査面上の最大像高での値と等しいことを特徴とする請求項１記載の走査光学装置。
【請求項７】
前記走査光学系の副走査方向の結像倍率βsは、
｜βs｜＜２．５
であることを特徴とする請求項４又は５記載の走査光学装置。
【請求項８】
前記複数の光源手段の各々は独立に変調可能な複数の発光点を有するマルチビーム光源であることを特徴とする請求項５〜７のいずれか一項記載の走査光学装置。
【請求項９】
請求項１乃至４の何れか１項に記載の走査光学装置と、前記被走査面に配置された感光体と、前記走査光学装置で走査された光ビームによって前記感光体上に形成された静電潜像をトナー像として現像する現像器と、現像されたトナー像を被転写材に転写する転写器と、転写されたトナー像を被転写材に定着させる定着器とを有することを特徴とする画像形成装置。
【請求項１０】
請求項１乃至４の何れか１項に記載の走査光学装置と、外部機器から入力したコードデータを画像信号に変換して前記走査光学装置に入力せしめるプリンタコントローラとを有していることを特徴とする画像形成装置。
【請求項１１】
各々が請求項５乃至８のいずれか１項に記載の走査光学装置の被走査面に配置され、互いに異なった色の画像を形成する複数の像担持体とを有することを特徴とするカラー画像形成装置。
【請求項１２】
外部機器から入力した色信号を異なった色の画像データに変換して各々の走査光学装置に入力せしめるプリンタコントローラを有していることを特徴とする請求項１１記載のカラー画像形成装置。
【手続補正２】
【補正対象書類名】明細書
【補正対象項目名】００１０
【補正方法】変更
【補正の内容】
【００１０】
【課題を解決するための手段】
本発明の走査光学装置は、
◎光源手段と、該光源手段から出射した光束を他の状態の光束に変換する第１光学系と、該第１光学系からの光束を主走査方向に長手の光束に変換する第２光学系と、該第２光学系からの光束を偏向走査する複数の偏向面を備えたポリゴンミラーと、該ポリゴンミラーで偏向した光束を被走査面上に結像させる走査光学系と、を具備し、
副走査断面内において該ポリゴンミラーの偏向面と該被走査面との間が共役関係を満たす走査光学装置において、
該第２光学系から出射した光束は副走査断面内において該ポリゴンミラーの偏向面に対し角度を有して入射し、且つ、該第２光学系から出射した光束は主走査断面内において該走査光学系の光軸に対し角度を有して該ポリゴンミラーの偏向面に入射しており、
該被走査面上における最大像高をＬ、副走査断面内において該ポリゴンミラーの偏向面と該被走査面との間が完全共役関係を満たす像高のうち主走査断面内において該走査光学系の光軸に対し角度を有して該ポリゴンミラーの偏向面に入射してくる光束側の最大像高に最も近い像高をＹm∞としたとき、
０．７Ｌ＜Ｙm∞≦１．０Ｌ
を満たすように該走査光学系の副走査方向のパワーを設定したことを特徴としている。
但し、主走査断面内において該走査光学系の光軸に対し角度を有して該ポリゴンミラーの偏向面に入射してくる光束側の像高の符号を正とする。
◎複数の光源手段と、該複数の光源手段から出射した複数の光束を他の状態の光束に変換する１つ以上の第１光学系と、該１つ以上の第１光学系からの複数の光束を主走査方向に長手の光束に変換する１つ以上の第２光学系と、該１つ以上の第２光学系からの複数の光束を偏向走査する複数の偏向面を備えた１つ以上のポリゴンミラーと、
該１つ以上のポリゴンミラーの偏向面で偏向した複数の光束を異なる被走査面上に結像させる１つ以上の走査光学系と、を具備し、
副走査断面内において該ポリゴンミラーの偏向面と該複数の被走査面との間が共役関係を満たす走査光学装置において、
該第２光学系から出射した光束は副走査断面内において該ポリゴンミラーの偏向面に対し角度を有して入射し、且つ、該第２光学系から出射した光束は主走査断面内において該走査光学系の光軸に対し角度を有して該ポリゴンミラーの偏向面に入射しており
該複数の被走査面上における最大像高をＬ、副走査断面内において該ポリゴンミラーの偏向面と該複数の被走査面との間が完全共役関係を満たす像高のうち主走査断面内において該走査光学系の光軸に対し角度を有して該ポリゴンミラーの偏向面に入射してくる光束側の最大像高に最も近い像高をＹm∞としたとき、
０．７Ｌ＜Ｙm∞≦１．０Ｌ
を満たすように該１つ以上の走査光学系の副走査方向のパワーを設定したことを特徴としている。
但し、主走査断面内において該走査光学系の光軸に対し角度を有して該ポリゴンミラーの偏向面に入射してくる光束側の像高の符号を正とする。
【手続補正３】
【補正対象書類名】明細書
【補正対象項目名】００３２
【補正方法】変更
【補正の内容】
【００３２】
図４（Ａ），（Ｂ）は各々ポリゴンミラーの偏向面近傍の主走査断面図であり、同図（Ａ）が光源手段側（第２光学系から出射した光束は主走査断面内において該走査光学系の光軸に対し角度を有して該ポリゴンミラーの偏光面に入射する側）の像高への偏向、同図（Ｂ）が反光源手段側の像高への偏向を示している。この場合、面偏心により生じる線像と虚像間の距離が上記(1)式の２Ｈではなく、以下のようにポリゴンミラー５への入射角θi、ポリゴンミラー５からの偏向角θe（共に走査光学系の光軸方向を０度とした座標系）の関数で表されることになる。